(57)【要約】【課題】リレーショナルデーターベースを利用して、情報享受用端末に応じた最適な情報を提供することができることができる電子メールを利用した情報配信システムを提供する。【解決手段】ホストコンピュータ５は、少なくとも多数の情報享受用端末１の固有情報と、該多数の情報享受用端末に送信する多数の提供情報と、多数の情報享受用端末個々の固有のホームページアドレス１４を有するデータベースが格納されており、情報伝達用端末２は、データベースから情報享受用端末の電子メールを選択して、該情報享受用端末へこの情報享受用端末のホームページアドレスを記載した電子メールを送信し、情報享受用端末が、電子メールに記載されたホームページアドレスを実行したとき、該情報享受用端末のホームページにアクセスし、データベースにおいて多数の提供情報のうちから、実行した情報享受用端末に該当する個別の情報を引き出して、この個別の情報に基づいてホームページを自動生成して表示させる。【選択図】    図１
2005258549.tif 000002
【特許請求の範囲】
【請求項１】
情報を受け取る多数の情報享受用端末と、この情報享受用端末へ前記情報を供給する情報伝達用端末とからなり、
前記情報享受用端末と前記情報伝達用端末とは、通信手段によりインターネットを介してホストコンピュータへ接続させてあり、前記情報の送信と前記情報の受信とは、前記通信手段を介して前記インターネット上でそれぞれ行うものであって、
前記ホストコンピュータは、
少なくとも前記多数の情報享受用端末の固有情報と、該多数の情報享受用端末に送信する多数の提供情報と、前記多数の情報享受用端末個々の固有のホームページアドレスを有するデータベースが格納されており、
前記情報伝達用端末は、
前記データベースから前記情報享受用端末の電子メールを選択して、該情報享受用端末へこの情報享受用端末のホームページアドレスを記載した電子メールを送信し、
前記情報享受用端末が、前記電子メールに記載されたホームページアドレスを実行したとき、該情報享受用端末のホームページにアクセスし、前記データベースにおいて前記多数の提供情報のうちから、前記実行した情報享受用端末に該当する個別の情報を引き出して、この個別の情報に基づいてホームページを自動生成して表示させることを特徴とする電子メールを利用した情報配信システム。
【請求項２】
ホームページの自動生成は、あらかじめホストコンピュータに登録されたデータベースの情報と、あらかじめ登録されたホームページ用の画像データや文字データ，ホームページテンプレートなどとをリンクさせておき、情報享受用端末がホームページにアクセスしたとき、前記ホームページテンプレートへ、前記データベースの諸情報に基づいた前記画像データや文字データを自動的にはめ込むことを特徴とする請求項１記載の電子メールを利用した情報配信システム。
【発明の詳細な説明】
【技術分野】
【０００１】
本発明は、リレーショナルデーターベースを利用して、情報享受用端末に応じた最適な情報を提供することができる電子メールを利用した情報配信システムに関する。
【背景技術】
【０００２】
現今、インターネットの発達により、その利用者は居ながらにして多くの情報を、かつ、より身近となった情報を得ることができる。
しかしながら、前記した情報は、前記利用者自らがインターネット上に存在する多くのホームページのうちの一つを選択し、そのホームページ上で表示される幾つかのリンクされた項目を選択することで、必要とする情報が得られるものであった。
【０００３】
したがって、該情報を得るためには、端末機におけるディスプレイにおいて表示されるホームページに対して、選択・実行等の前記した何回かの手順を踏まなければならず、その操作は甚だ面倒で一定の熟練が必要な上、その操作途中の選択項目を誤ると、ホームページのリンクから外れ、自己の希望する情報が得られないものであった。
【発明の開示】
【発明が解決しようとする課題】
【０００４】
本発明は、前記した問題点を解決するためになされたもので、ホストコンピュータは、少なくとも多数の情報享受用端末の固有情報と、該多数の情報享受用端末に送信する多数の提供情報と、多数の情報享受用端末個々の固有のホームページアドレスを有するデータベースが格納されており、情報伝達用端末は、データベースから情報享受用端末の電子メールを選択して、該情報享受用端末へこの情報享受用端末のホームページアドレスを記載した電子メールを送信し、情報享受用端末が、電子メールに記載されたホームページアドレスを実行したとき、該情報享受用端末のホームページにアクセスし、データベースにおいて多数の提供情報のうちから、実行した情報享受用端末に該当する個別の情報を引き出して、この個別の情報に基づいてホームページを自動生成して表示させることにより、リレーショナルデーターベースを利用して、情報享受用端末に応じた最適な情報を提供することができることができる電子メールを利用した情報配信システムを提供することを目的としている。
【課題を解決するための手段】
【０００５】
前記した目的を達成するための本発明は、
情報を受け取る多数の情報享受用端末と、この情報享受用端末へ前記情報を供給する情報伝達用端末とからなり、
前記情報享受用端末と前記情報伝達用端末とは、通信手段によりインターネットを介してホストコンピュータへ接続させてあり、前記情報の送信と前記情報の受信とは、前記通信手段を介して前記インターネット上でそれぞれ行うものであって、
前記ホストコンピュータは、
少なくとも前記多数の情報享受用端末の固有情報と、該多数の情報享受用端末に送信する多数の提供情報と、前記多数の情報享受用端末個々の固有のホームページアドレスを有するデータベースが格納されており、
前記情報伝達用端末は、
前記データベースから前記情報享受用端末の電子メールを選択して、該情報享受用端末へこの情報享受用端末のホームページアドレスを記載した電子メールを送信し、
前記情報享受用端末が、前記電子メールに記載されたホームページアドレスを実行したとき、該情報享受用端末のホームページにアクセスし、前記データベースにおいて前記多数の提供情報のうちから、前記実行した情報享受用端末に該当する個別の情報を引き出して、この個別の情報に基づいてホームページを自動生成して表示させる電子メールを利用した情報配信システムにある。
【０００６】
ホームページの自動生成は、あらかじめホストコンピュータに登録されたデータベースの情報と、あらかじめ登録されたホームページ用の画像データや文字データ，ホームページテンプレートなどとをリンクさせておき、情報享受用端末がホームページにアクセスしたとき、前記ホームページテンプレートへ、前記データベースの諸情報に基づいた前記画像データや文字データを自動的にはめ込む。
【発明の効果】
【０００７】
本発明は、ホストコンピュータに登録したデーターベースを利用して、電子メールを通じて、情報享受用端末に応じた最適な情報を簡単かつ迅速に提供することができることができる。
【発明を実施するための最良の形態】
【０００８】
次に、本発明に関する電子メールを利用した情報配信システム（電子メールを利用した情報配信方法）の実施の一例を図面に基づいて説明する。
図１は、本発明実施例の電子メールを利用した情報配信システム（電子メールを利用した情報配信方法）Ａの基本的なフローシートを示す一例であって、情報を受け取る多数の情報享受用端末１と、この情報享受用端末１へ前記情報を供給する情報伝達用端末２とからなり、これら情報享受用端末１と情報伝達用端末２とは、通信手段３によりインターネット４を介してホストコンピュータ５へ接続させてあり、前記情報の送信とその情報の受信とは、通信手段３を介してインターネット４上でそれぞれ行うものである。
【０００９】
そして、ホストコンピュータ５は、少なくとも、多数の情報享受用端末１の固有情報と、該多数の情報享受用端末１に送信する多数の提供情報と、多数の情報享受用端末１個々の固有のホームページアドレス１４を有するデータベースD（例えば、図２参照）が格納されている。
【００１０】
前記した情報伝達用端末２は、前記データベースDから情報享受用端末１の電子メールを選択して、該情報享受用端末１へこの情報享受用端末１のホームページアドレス１４を記載した電子メール（例えば、図３参照）を送信する。
【００１１】
その後、情報享受用端末１が、前記電子メールに記載されたホームページアドレス１４を実行したとき、該情報享受用端末１のホームページにアクセスし、データベースDにおいて前記多数の提供情報のうちから、前記実行した情報享受用端末１に該当する個別の情報を引き出して、この個別の情報に基づいてホームページを自動生成して情報享受用端末１の端末機（ローカルコンピュータ）のディスプレイへ表示させる。
【００１２】
更に詳述すれば、情報享受用端末１は、インターネット４へ通信手段３を介して接続した端末機（ローカルコンピュータ）をディスプレイを通じて操作する最終末端であって、前記端末機では電子メールソフトが操作でき、電子メールの受信および送信が可能な状態に環境整備されている。
【００１３】
なお、前記多数の情報享受用端末１の個別の情報とは、各情報享受用端末１ごと、あるいは、この情報享受用端末１を操作する者ごとに付与された基本管理番号を始め、住所・氏名や性別，生年月日，電子メールアドレスおよびこの情報享受用端末１ごとの固有の様々な情報、更には、ホームページを装飾する共用できる形式などのテンプレート（フォーム）および該テンプレート用イラストや図形イメージ，テキストなどホームページ作成に必要な様々なアイテムを指すもので、ホストコンピュータ５へ、図２に示すように、データベースDとして分類された状態で登録しておく。また、前記様々なアイテム（ツール）は、前記データベースDとリンクした状態でホストコンピュータ５にホームページに対して引き出し自在に登録されている。
このデータベースDは、リレーショナルデータベースなどが用いられるもので、キーとなる前記基本管理番号や名前などを利用して、該情報享受用端末１ごとの異なる情報を任意に結合して出力することができる。また、前記任意に結合するための様々な情報が格納されている。
【００１４】
また、このデータベースDへの前記情報の登録や削除などの作業は、情報伝達用端末２が該端末機（コンピュータ）をディスプレイ等を通じて操作して、インターネット４へ通信手段３を介して接続したホストコンピュータ５に対して行われるものである。あるいは、図１において点線矢印で示すように、情報伝達用端末２は端末機など、および他の専用通信手段（図示せず）を利用して直接ホストコンピュータ５にアクセスし、データベースDへの前記情報の登録や削除などの作業が行える。
この情報伝達用端末２は、自己が情報発信する、例えば、物品の販売や文化・教養講座，食通・美食家情報，旅行など情報享受用端末１あるいは、この情報享受用端末１を操作する者が要求および享受し得る情報を提供するもので、前記データベースDへ分類および項目ごと仕分けて抽出可能に登録しておく。
【００１５】
前記した通信手段３は、情報享受用端末１，１，１…と情報伝達用端末２とが有するパーソナルコンピュータなどの端末機であるコンピュータや携帯端末機などとを、有線や無線等を利用して接続し、電気的信号の双方向通信（上りと下りの信号のやり取り）ができる手段である。
【００１６】
また、前記したインターネット４は、通信手段３を介して情報通信ネットワークが構築されたものであって、ＷＷＷや電子メール，ＦＴＰ（ファイル転送），ネットニューズ（掲示板・公開議論場），ＴＥＬＮＥＴ（他の計算機資源へのアクセス），ファイル検索，情報検索，データーベース検索などのサービスである。
【００１７】
前記したホストコンピュータ５は、インターネット４によりネットワークを構築する際に使用されるもので、一般的にはサーバマシンあるいはサーバ専用機等と呼ばれるものである。
このホストコンピュータ５は、情報伝達用端末２の管理下（メンテナンス等も含める）にあったり、他の中継接続者側に設置したものや、他のレンタルサーバなどを利用しても良い。
【００１８】
また、このホストコンピュータ５は、インターネット４上において、情報享受用端末１，１，が、前記電子メールに記載されたホームページアドレス１４を実行したとき、該情報享受用端末１のホームページにアクセスし、データベースDにおいて前記多数の提供情報のうちから、前記実行した情報享受用端末１に該当する個別の情報を引き出して、この個別の情報に基づいてホームページを自動生成して情報享受用端末１へ自動配信し、該情報享受用端末１のローカルコンピュータのディスプレイへ該ホームページを表示させるものである。
【００１９】
このホームページの自動生成は、あらかじめホストコンピュータ５に登録されたデータベースDの情報と、あらかじめ登録されたホームページ用の画像データや文字データ，ホームページテンプレート３０（例えば、図５参照）などとをリンクさせておき、情報享受用端末１がホームページにアクセスしたとき、前記ホームページテンプレート３０へ、前記データベースの諸情報に基づいた前記画像データや文字データを自動的にはめ込む。
【００２０】
そして、本発明実施例における一実施例は、電子メールを利用した情報配信システム（インターネットによる情報配信方法）Ａにあって、以下の作用を奏する。
例えば、情報享受用端末１が用いている薬剤に関して、該薬剤を提供している情報伝達用端末２（例えば、薬局）が情報享受用端末１に対して情報伝達する場合は、まず、当該情報享受用端末１の個別で固有の情報を、図２に示すように、ホストコンピュータ５におけるデータベースDへ登録しておく。この場合、他の情報享受用端末１に対しても同様にその情報享受用端末１個別で固有の情報を登録しておく。
【００２１】
情報享受用端末１に前記情報を発信する際には、情報伝達用端末２がインターネット４へ通信手段３を介して接続した端末機から前記データベースDへアクセスして、その主キーとなる例えば、ＩＤ番号を選択することで、自動的にホストコンピュータ５が当該情報享受用端末１へ電子メールが送信される。
あるいは、前記データベースＤ中に選択される任意の項目を抽出するように、あらかじめホストコンピュータ５に登録しておけば、前記項目に該当する情報享受用端末１へ電子メールが送信される。
この電子メールは、例えば、図３に示すように、電子メールソフトの受信画面１０において、件名や見出し欄１１ｂに表示される情報享受用端末１の名前や、エディタ欄１１ａに表示される情報享受用端末１の名前１２，該情報享受用端末１に対するその固有のメッセージ１３，当該情報享受用端末１の固有のホームページアドレス１４，情報伝達用端末２の名前１５などが前記データベースＤ中から選択され、所定フォームとなって、前記情報伝達用端末２の電子メール送信を実行する、あるいは、あらかじめホストコンピュータ５に登録されておいた電子メール送信プログラムの実行によって、該電子メールが自動生成される。
【００２２】
この固有情報享受用端末１への電子メールは、前記データベースＤに格納された情報に基づいて、ホストコンピュータ５が作動して電子メールアドレスが選択され、かつ、前記データベースＤに基づいて電子メール作成時に、自動的に個別情報を電子メールの決められたフォームの、決められた場所に流し込み、見出し（件名）欄１１ｂに当該情報享受用端末１の名前が自動的に表示され、前記フォームにおけるエディタ欄１１ａに当該情報享受用端末１の個別情報を持った電子メールを作成する。
このとき、この電子メールには、当該情報享受用端末１の固有のホームページアドレス１４も記載される。
【００２３】
したがって、インターネット４へ通信手段３を介して接続した端末機において、この電子メールを受け取った当該情報享受用端末１は、この端末機のディスプレイ上に、図３に示すように、電子メールソフトの受信画面１０が立ち上がり、該受信画面１０のエディタ欄１１ａに、当該情報享受用端末１の名前１２が表示されると共に、当該情報享受用端末１に対するその固有のメッセージ１３と、当該情報享受用端末１の固有のホームページアドレス１４，および情報伝達用端末２の名前１５が表示される。
【００２４】
そのため、情報享受用端末１は、このエディタ欄１１ａに表示されたホームページアドレス１４をクリック（実行）すると、このホームページアドレス１４にリンクした当該情報享受用端末１の固有のホームページに移動し、直ちに閲覧可能となる。
【００２５】
このホームページは、あらかじめ作成されてホストコンピュータ５にすでに格納されているものではなく、単に、当該情報享受用端末１の固有のホームページアドレス１４が存在しているだけであって、インターネット４へ通信手段３を介して接続したホストコンピュータ５では、情報享受用端末１が実行したホームページアクセスにより、ホームページアドレス（ＵＲＬ）１４の情報を確認すると、瞬時に、図２に示すような、データベースＤから、当該情報享受用端末１に対するあらかじめホストコンピュータ５に登録しかつホームページテンプレート３０とリンクしてあるホームページ用の画像データや文字データなどのパーツを呼び出し、かつ、図５に示すような、同時に呼び出したホームページテンプレート３０において、後記する、情報享受用端末１の情報１６，１７，１８，１９等が埋め込まれるためのスペース１６ａ，１７ａ，１８ａ，１９およびイラストや図形イメージ，テキストなどのパーツ２０，２１，２２，２３，２４などが埋め込まれるためのスペース２０ａ，２１ａ，２２ａ，２３ａ，２４ａなどのあらかじめ定められた箇所へ、あらかじめ定められた前記パーツが自動的に嵌め込まれていく。
【００２６】
これにより、図４に示すようなホームページが、情報享受用端末１の端末機におけるディスプレイに立ち上がる。
したがって、情報享受用端末１は、前記ディスプレイに表示されたホームページ上で、自分固有の情報１６，１７，１８，１９等を確認することができる。
【００２７】
また、ホームページテンプレートにあって、情報伝達用端末２において共通するイラストや図形イメージ，テキストなどのパーツ２０，２１，２２，２３，２４なども、自動的に嵌め込まれるものである。これらのパーツもあらかじめ、ホストコンピュータ５に格納されたデータベースＤに対して、多数の情報享受用端末１，１，１…ごとに登録しておくことで、各情報享受用端末１が送信された電子メールのエディタ欄１１ａにおいて表示された、自己のホームページアドレス１４をクリックすると同時に、ホームページテンプレート３０へ自動的に嵌め込まれ、自己のホームページが生成される。
【図面の簡単な説明】
【００２８】
【図１】本発明に関する電子メールを利用した情報配信システムの概略を示す説明図である。
【図２】本発明に関する電子メールを利用した情報配信システムに用いるデータベースの一部概略の説明図である。
【図３】図１における電子メールを利用した情報配信システムの電子メール受信画面を示す概略の説明図である。
【図４】図１における電子メールを利用した情報配信システムの選択された自己のホームページ画面を示す概略の説明図である。
【図５】図１における電子メールを利用した情報配信システムに用いるホームページテンプレートとなる一例を示す概略の説明図である。
【符号の説明】
【００２９】
Ａ…電子メールを利用した情報配信システム．Ｄ…データベース．１…情報享受用端末．２…情報伝達用端末．３…通信手段．４…インターネット．５…ホストコンピュータ．１４…ホームページアドレス
【図１】
2005258549.tif 000003
【図２】
2005258549.tif 000004
【図３】
2005258549.tif 000005
【図４】
2005258549.tif 000006
【図５】
2005258549.tif 000007